(57)【要約】【課題】モータの電流値を制御する操作部材を有する電動リールにおいて、操作部材の操作性を向上させる。【解決手段】電動リールのリール本体１の上部にはカウンタケース４が固定されている。カウンタケース４の上面には、各種の表示を行う表示部５と、表示部５の後方に配置されたスイッチ操作部６とが設けられている。スイッチ操作部６は、表示部５の下部右側に左右に並べて配置された変速スイッチＳＫ２及びＳＫ１と、表示部５の下部左側に配置されたモータスイッチＰＷとを有している。変速スイッチＳＫ１及びＳＫ２は、下方向に押圧操作可能なスイッチであって、左右方向に操作可能である。【選択図】　　　図１
2004081152.tif 000002
【特許請求の範囲】
【請求項１】
前方に釣り糸を繰り出す電動リールであって、
リール本体と、
前記リール本体に回転可能に支持されるスプールと、
前記スプールを手動で回転させるハンドルと、
前記スプールを回転させる電動のモータと、
前記リール本体の上部に設けられ、各種の表示を行う表示部を有するカウンタケースと、
前記カウンタリールの前記表示部の後方に配置され、前記スプールの軸に沿った方向に操作可能な操作部材と、
を備えた電動リール。
【請求項２】
前記操作部材は前記カウンタケースの略中央部に配置されている、請求項１に記載の電動リール。
【請求項３】
前記操作部材は、略中央部において、前記ハンドル側にやや偏倚して配置されている、請求項２に記載の電動リール。
【請求項４】
前記操作部材は前記スプール軸に沿った方向に揺動操作可能である、請求項１から３のいずれかに記載の電動リール。
【請求項５】
前記操作部材は前記スプールに向かう方向に押圧操作可能である、請求項１から３のいずれかに記載の電動リール。
【請求項６】
前記操作部材は前記モータの電流値を制御するスイッチである、請求項１から５のいずれかに記載の電動リール。
【請求項７】
前記操作部材は、前記スプールの巻き上げ速度が一定になるように電流値を制御するスイッチである、請求項６に記載の電動リール。
【請求項８】
前記操作部材は、前記スプールの巻き上げられる釣り糸に作用する張力が一定になるように電流値を制御するスイッチである、請求項６に記載の電動リール。
【請求項９】
前記操作部材の近傍に配置され、前記モータのオン、オフを行うモータスイッチをさらに備えている、請求項１から８のいずれかに記載の電動リール。
【発明の詳細な説明】
【０００１】
【発明の属する技術分野】
本発明は、電動リール、特に、スプールを回転させる電動モータの電流値を制御する操作部材を有する電動リールに関する。
【０００２】
【従来の技術】
一般に、巻き上げ時のスプールの回転をモータで行う電動リールは、たとえば、１００ｍ以上の水深を回遊する魚を船の上から釣るときによく使用される。この種の電動リールは、リール本体と、リール本体に装着されたスプールと、スプールを回転させるハンドルと、スプールを巻き上げ方向に回転させるモータとを備えている。リール本体の上面には、水深表示用の液晶ディスプレイ等の表示部が設けられたカウンタケースが装着されている。
【０００３】
このカウンタケースには、モータのオン、オフを行うモータ操作部材や、モータの電流値を制御する操作部材や、各種モードの切り換えを行うモードスイッチ等のスイッチが設けられている。このようなモータ操作部材やモータの電流値を制御する操作部材は、一般に、カウンタケース上の表示部の右側に配置され、モードスイッチは表示部の左側に配置されている。また、モータの電流値を制御する操作部材は、前後方向に移動操作することにより、制御を行っている。
【０００４】
【発明が解決しようとする課題】
前記従来の電動リールでは、特に、モータの電流値を制御する操作部材は、カウンタケース上の表示部の右側に配置されている。このため、ハンドルを操作する方の右手で操作部材を操作することが可能である。しかし、リール本体を把持した左手では指先が操作部材に届きにくいため、さらに前後方向の移動操作を行うのは困難であるので、左手でパーミングしながら操作部材を操作しにくい。
【０００５】
本発明の課題は、モータの電流値を制御する操作部材を有する電動リールにおいて、操作部材の操作性を向上させることにある。
【０００６】
【課題を解決するための手段】
発明１に係る電動リールは、前方に釣り糸を繰り出す電動リールであって、リール本体と、リール本体に回転可能に支持されるスプールと、スプールを手動で回転させるハンドルと、スプールを回転させる電動のモータと、リール本体の上部に設けられ各種の表示を行う表示部を有するカウンタケースと、カウンタリールの表示部の後方に配置されスプールの軸に沿った方向に操作可能な操作部材とを備えている。
【０００７】
この電動リールでは、たとえばモータの電流値を制御するスイッチ等の操作部材が表示部の後方に配置され、スプールの軸に沿った方向、すなわち左右方向に操作可能である。ここでは、操作部材は表示部の後方に配置されているので、たとえばハンドルが右側に装着されている場合、ハンドルを回転させる右手で左右方向に操作することが可能である。さらに、リール本体を把持した左手でもパーミングを行いながら、操作部材を左右方向に容易に操作できる。したがって、左右どちらの手でも操作部材の操作が容易に行えるので、操作部材の操作性を向上できる。
【０００８】
発明２に係る電動リールは、発明１の電動リールにおいて、操作部材はカウンタケースの略中央部に配置されている。この場合、カウンタケース後部の略中央部に操作部材が配置されているので、左右どちらの手をもってしても指先が届きやすくなり、操作部材の操作が行いやすくなる。
発明３に係る電動リールは、発明２の電動リールにおいて、操作部材は、略中央部において、ハンドル側にやや偏倚して配置されている。この場合、たとえばハンドルが右側に装着されている場合は、カウンタケースの略中央部の右側に操作部材が配置され、右手での操作が行いやすくなる。
【０００９】
発明４に係る電動リールは、発明１から３のいずれかの電動リールにおいて、操作部材はスプール軸に沿った方向に揺動操作可能である。この場合、操作部材は、スプール軸に沿った方向、すなわち左右方向に揺動操作可能なスイッチであるので、操作性がさらに向上する。
発明５に係る電動リールは、発明１から３のいずれかの電動リールおいて、操作部材はスプールに向かう方向に押圧操作可能である。この場合、操作部材は、スプールに向かう方向、すなわち下方向に押圧操作可能なスイッチであるので、スイッチの構成が簡単になる。
【００１０】
発明６に係る電動リールは、発明１から５のいずれかの電動リールおいて、操作部材はモータの電流値を制御するスイッチである。この場合、たとえば操作部材を左方向に操作するとモータの電流値を減少させ、右方向に操作するとモータの電流値を増加させることにより、操作部材の操作性を向上できる。
発明７に係る電動リールは、発明６の電動リールおいて、操作部材は、スプールの巻き上げ速度が一定になるように電流値を制御するスイッチである。この場合、各変速段において速度一定になるようにモータを回転できるので、電流値の制御が容易になる。
【００１１】
発明８に係る電動リールは、発明６の電動リールおいて、操作部材は、スプールの巻き上げられる釣り糸に作用する張力が一定になるように電流値を制御するスイッチである。この場合、釣り糸に魚等がかかって釣り糸に作用する力が変化しても、釣り糸の張力一定が一定のままモータを回転できるので、魚等の口切れを防止できる。
【００１２】
発明９に係る電動リールは、発明１から８のいずれかの電動リールおいて、操作部材の近傍に配置され、モータのオン、オフを行うモータスイッチをさらに備えている。この場合、たとえばモータの電流値を制御するスイッチの近傍にモータスイッチが配置されているので、これらのスイッチの切り換え操作が容易になる。
【００１３】
【発明の実施の形態】
本発明の一実施形態を採用した電動リールは、図１に示すように、釣竿Ｒに装着されるリール本体１と、リール本体１の側方に配置されたスプール回転用のハンドル２と、ハンドル２のリール本体１側に配置されたドラグ調整用のスタードラグ３とを主に備えている。
【００１４】
リール本体１は、左右１対の側板７ａ、７ｂとそれらを連結する複数の連結部材８とからなるフレーム７と、フレーム７の左右を覆う左右の側カバー９ａ、９ｂとを有している。ハンドル２側（図１の右側）の側カバー９ｂには、ハンドル２の回転軸が回転自在に支持され、ハンドル２と逆側（図１の左側）の側カバー９ａには、外部電源ＰＳ接続用の電源コード１８を接続するためのコネクタ１９が設けられている。
【００１５】
リール本体１の内部には、ハンドル２に連結されたスプール１０が回転自在に支持されている。スプール１０の内部には、スプール１０を糸巻き上げ方向に回転駆動する直流駆動のモータ１２が配置されている。また、リール本体１のハンドル２側側面には、ハンドル２及びモータ１２とスプール１０との駆動伝達をオン、オフする図示しないクラッチ機構のクラッチレバー１１が配置されている。このクラッチ機構をオンすると、仕掛けの自重による糸繰り出し中に、糸繰り出し動作を停止できる。
【００１６】
リール本体１の上部にはカウンタケース４が固定されている。カウンタケース４は、リール本体１の上部に配置され、上面に表示窓２０が形成されている。カウンタケース４の上面には、図２に示すように、表示窓２０を介して仕掛けの水深や棚位置を水面からと底からとの２つの基準で表示するための液晶ディスプレイからなる表示部５が臨んでおり、表示部５の後方にはスイッチ操作部６が設けられている。
【００１７】
表示部５は、中央に配置された４桁の７セグメント表示の水深表示領域５ａと、その下方に配置された３桁の底水深表示領域５ｂと、水深表示領域５ａの図２右側に配置された変速段数表示領域５ｃとを有している。また、表示部５には、「底から」、「学習」、「指定」、「下巻」、「修正」、「入力」、「糸送止」、「０セット」の８つの文字を表示可能である。
【００１８】
スイッチ操作部６は、図１及び図２に示すように、表示部５の下部右側に左右に並べて配置された変速スイッチＳＫ２及びＳＫ１と、表示部５の下部左側に配置されたモータスイッチＰＷとを有している。
モータスイッチＰＷは、モータ１２をオン、オフするためのスイッチであり、モータスイッチＰＷがオン操作されている間モータ１２を回転させる寸動巻き上げと、モータスイッチＰＷが所定時間内に２回オン操作されたときモータ１２を回転させる連続巻き上げとを切り換え可能なスイッチとなっている。モータスイッチＰＷは、図１及び図２に示すように、変速スイッチＳＫ１及びＳＫ２の左側近傍に配置されている。
【００１９】
変速スイッチＳＫ１及びＳＫ２は、図１及び図２に示すように、カウンタケース４の略中央部の表示部５後方に配置され、略中央部において右側にやや偏倚して配置されている。変速スイッチＳＫ１及びＳＫ２は、下方向に押圧操作可能なスイッチであって、左右方向に操作可能である。変速スイッチＳＫ１及びＳＫ２は、スプールの巻き上げ速度が一定になるように電流値を制御するスイッチである。変速スイッチＳＫ１及びＳＫ２は、駆動されたモータ１２を増減速するためのスイッチであって、右側の変速スイッチＳＫ１を押すと増速し、左側の変速スイッチＳＫ２を押すと減速する。
【００２０】
カウンタケース４内の上部には、表示部５と、表示制御及びモータ制御を行う図示しないリール制御部とが配置されている。カウンタケース４内の下部にはモータ１２をＰＷＭ駆動するＰＷＭ駆動回路や、ブザーや、スプールセンサ等が配置されている。
この電動リールでは、モータ１２の電流値を制御する変速スイッチＳＫ１及びＳＫ２が表示部５の後方に配置され、左右方向に操作可能である。ここでは、変速スイッチＳＫ１及びＳＫ２が表示部５の後方に配置されているので、ハンドル２を回転させる右手で左右方向に操作することが可能である。さらに、リール本体１を把持した左手でもパーミングを行いながら、変速スイッチＳＫ１及びＳＫ２を左右方向に容易に操作できる。したがって、左右どちらの手でも変速スイッチＳＫ１及びＳＫ２の操作が容易に行えるので、変速スイッチＳＫ１及びＳＫ２の操作性を向上させることができる。
【００２１】
〔他の実施形態〕
（ａ）　前記実施形態では、変速スイッチＳＫ１及びＳＫ２は、下方向に押圧操作可能なスイッチであったが、図３に示すように、左右に揺動可能なレバー式の変速スイッチＳＫであってもよい。また、図４に示すように、左右に回転操作可能なジョグダイアル式の変速スイッチＳＫであってもよい。さらに、図５に示すように、左右上下方向の４方向に揺動可能なジョイスティック式の変速スイッチＳＫであってもよい。
【００２２】
（ｂ）　前記実施形態では、変速スイッチＳＫ１及びＳＫ２は、スプールの巻き上げ速度が一定になるように電流値を制御するスイッチであったが、スプールの巻き上げられる釣り糸に作用する張力が一定になるように電流値を制御するようにしてもよい。ここでは、釣り糸に魚等がかかって釣り糸に作用する力が変化しても、釣り糸の張力一定が一定のままモータを回転できるので、魚等の口切れを防止できる。
【００２３】
（ｃ）　前記実施形態では、変速スイッチＳＫ１及びＳＫ２の近傍にモータスイッチＰＷが配置されていたが、モータスイッチＰＷの位置はこれに限定されるものではなく、図示しないが、カウンタケース４上面の表示部５の右側部や、カウンタケース４の右側部等にモータスイッチＰＷを設けてもよい。
【００２４】
【発明の効果】
本発明によれば、電動リールにおいて、操作部材は表示部の後方に配置されスプールの軸に沿った方向に操作可能であるので、操作部材の操作性を向上させることができる。
【図面の簡単な説明】
【図１】本発明の一実施形態を採用した電動リールの平面図。
【図２】前記電動リールの表示部周辺の平面図。
【図３】他の実施形態の図１に相当する図。
【図４】他の実施形態の図１に相当する図。
【図５】他の実施形態の図１に相当する図。
【符号の説明】
１　リール本体
２　ハンドル
４　カウンタケース
５　表示部
１０　スプール
１２　モータ
ＰＷ　モータスイッチ
ＳＫ、ＳＫ１、ＳＫ２　変速スイッチ
【図１】
2004081152.tif 000003
【図２】
2004081152.tif 000004
【図３】
2004081152.tif 000005
【図４】
2004081152.tif 000006
【図５】
2004081152.tif 000007